(57)【特許請求の範囲】
【請求項１】
無線ＬＡＮ（ＷＬＡＮ）におけるアップリンクデータを送信する方法であって、前記方法は、リポートｓｔａｔｉｏｎ（ＳＴＡ）によって実行され、
トリガフレームをアクセスポイント（ＡＰ）から受信することであって、前記トリガフレームは、ｕｐｌｉｎｋ  ｍｕｌｔｉ−ｕｓｅｒ（ＵＬ  ＭＵ）送信をトリガし、前記リポートＳＴＡのバッファ状態リポートのために用いられる非専用周波数リソースを示す、ことと、
前記トリガフレームに応答して、前記リポートＳＴＡのバッファ状態リポートフレームを、前記リポートＳＴＡによって実行されるバックオフ手順を介して前記非専用周波数リソースのうちの少なくとも１つの上で前記ＡＰに送信するかどうかを決定することであって、前記リポートＳＴＡのバックオフカウントが所定の閾値以下である場合、前記バッファ状態リポートフレームは、前記ＡＰに送信されるよう決定される、ことと、
前記バッファ状態リポートフレームを前記ＡＰに送信することと
を含む、方法。
【請求項２】
前記非専用周波数リソースは、周波数リソース単位であり、前記ＡＰによって特定のリポートＳＴＡに排他的に割り当てられておらず、前記バックオフ手順を実行する場合、前記非専用周波数リソースのうちの少なくとも１つが、前記リポートＳＴＡによってランダムに選択される、請求項１に記載された方法。
【請求項３】
前記バッファ状態リポートフレームを送信した後、前記ＵＬ  ＭＵ送信をトリガする追加のトリガフレームを前記ＡＰから受信することであって、前記追加のトリガフレームは、前記リポートＳＴＡの前記バッファ状態リポートフレームに基づいて前記ＡＰによって構成されている、ことと、
前記追加のトリガフレームによって示される個々のアップリンク無線リソース上で重なった時間リソースの間、アップリンクデータを前記ＡＰに送信することであって、前記重なった時間リソースは、前記ＵＬ  ＭＵ送信に関連付けられた複数のＳＴＡによって共通に用いられる、ことと
をさらに含む、請求項１に記載された方法。
【請求項４】
前記追加のトリガフレームは、前記ＵＬ  ＭＵ送信、前記ＵＬ  ＭＵ送信のために用いられるアップリンク無線リソース、および前記ＵＬ  ＭＵ送信のために用いられる時空間ストリームに関連付けられた複数のＳＴＡの結合ＩＤ（ＡＩＤ）を示す、請求項３に記載された方法。
【請求項５】
前記バッファ状態リポートフレームは、ペンディングとなっているアップリンクデータのサイズと、前記ペンディングとなっているアップリンクデータのアクセスカテゴリとを含む、バッファ状態情報を示す、請求項１に記載された方法。
【請求項６】
前記リポートＳＴＡのバックオフカウントを決定するために用いられる閾値を示すビーコンメッセージを前記ＡＰから受信することをさらに含む、請求項１に記載された方法。
【請求項７】
無線ＬＡＮ（ＷＬＡＮ）における無線ｓｔａｔｉｏｎ（ＳＴＡ）であって、
無線信号を送信または受信するように構成されたｒａｄｉｏ  ｆｒｅｑｕｅｎｃｙ  ｕｎｉｔ（ＲＦ部）と、
前記ＲＦ部に動作可能に結合されたプロセッサと
を含み、
前記プロセッサは、
トリガフレームをアクセスポイント（ＡＰ）から受信することであって、前記トリガフレームは、ｕｐｌｉｎｋ  ｍｕｌｔｉ−ｕｓｅｒ（ＵＬ  ＭＵ）送信をトリガし、リポートＳＴＡのバッファ状態リポートのために用いられる非専用周波数リソースを示す、ことと、
前記トリガフレームに応答して、前記リポートＳＴＡのバッファ状態リポートフレームを、前記リポートＳＴＡによって実行されるバックオフ手順を介して前記非専用周波数リソースのうちの少なくとも１つの上で前記ＡＰに送信するかどうかを決定することであって、前記リポートＳＴＡのバックオフカウントが所定の閾値以下である場合、前記バッファ状態リポートフレームは、前記ＡＰに送信されるよう決定される、ことと、
前記バッファ状態リポートフレームを前記ＡＰに送信することと
を行うように構成される、無線ＳＴＡ。
【請求項８】
前記非専用周波数リソースは、特定のリポートＳＴＡに専用ではない周波数リソース単位であり、、前記バックオフ手順を実行する場合、前記非専用周波数リソースのうちの少なくとも１つが、前記リポートＳＴＡによってランダムに選択される、請求項７に記載された無線ＳＴＡ。
【請求項９】
前記プロセッサは、
前記バッファ状態リポートフレームを送信した後、前記ＵＬ  ＭＵ送信をトリガする追加のトリガフレームを前記ＡＰから受信することであって、前記追加のトリガフレームは、前記リポートＳＴＡの前記バッファ状態リポートフレームに基づいて前記ＡＰによって構成されている、ことと、
前記追加のトリガフレームによって示される個々のアップリンク無線リソース上で重なった時間リソース上で、アップリンクデータを前記ＡＰに送信することであって、前記重なった時間リソースは、前記ＵＬ  ＭＵ送信に関連付けられた複数のＳＴＡによって共通に用いられる、ことと
を行うようにさらに構成される、請求項７に記載された無線ＳＴＡ。
【請求項１０】
前記追加のトリガフレームは、前記ＵＬ  ＭＵ送信、前記ＵＬ  ＭＵ送信のために用いられるアップリンク無線リソース、および前記ＵＬ  ＭＵ送信のために用いられる時空間ストリームに関連付けられた複数のＳＴＡの結合ＩＤ（ＡＩＤ）を示す、請求項９に記載された無線ＳＴＡ。
【請求項１１】
前記バッファ状態リポートフレームは、ペンディングとなっているアップリンクデータのサイズと、前記ペンディングとなっているアップリンクデータのアクセスカテゴリとを含む、バッファ状態情報を示す、請求項７に記載された無線ＳＴＡ。
【請求項１２】
前記プロセッサは、前記リポートＳＴＡのバックオフカウントを決定するために用いられる閾値を示すビーコンメッセージを受信するようにさらに構成される、請求項７に記載された無線ＳＴＡ。
【発明の詳細な説明】
【技術分野】
【０００１】
本発明は、無線通信に関し、より詳しくは、無線ＬＡＮにおけるアップリンクデータをトリガする方法及び装置に関する。
【背景技術】
【０００２】
次世代ＷＬＡＮ（ｗｉｒｅｌｅｓｓ  ｌｏｃａｌ  ａｒｅａ  ｎｅｔｗｏｒｋ）のための議論が進行している。次世代ＷＬＡＮでは、１）２．４ＧＨｚ及び５ＧＨｚ帯域でＩＥＥＥ（ｉｎｓｔｉｔｕｔｅ  ｏｆ  ｅｌｅｃｔｒｏｎｉｃ  ａｎｄ  ｅｌｅｃｔｒｏｎｉｃｓ  ｅｎｇｉｎｅｅｒｓ）８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させることを目標とする。
【０００３】
次世代ＷＬＡＮで主に考慮される環境は、ＡＰ（ａｃｃｅｓｓ  ｐｏｉｎｔ）とＳＴＡ（ｓｔａｔｉｏｎ）が多い密集環境であり、このような密集環境でスペクトラム効率（ｓｐｅｃｔｒｕｍ  ｅｆｆｉｃｉｅｎｃｙ）と空間スループット（ａｒｅａ  ｔｈｒｏｕｇｈｐｕｔ）に対する改善が論議される。また、次世代ＷＬＡＮでは室内環境だけでなく、既存ＷＬＡＮであまり考慮されていなかった室外環境での実質的な性能改善に関心を有する。
【０００４】
具体的に、次世代ＷＬＡＮでは無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きくて、該当シナリオに基づいてＡＰとＳＴＡが多い密集環境でのシステム性能向上に対する議論が進行している。
【０００５】
また、次世代ＷＬＡＮでは一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そしてセルラーオフローディングなどに対する議論が活発になると予想される。このような次世代ＷＬＡＮの方向性は、次世代ＷＬＡＮが益々移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮してみる時、次世代ＷＬＡＮと移動通信の技術的及び事業的な融合は、一層活発になると予測される。
【発明の概要】
【発明が解決しようとする課題】
【０００６】
本発明の目的は、無線ＬＡＮにおいて、アップリンクデータをトリガする方法を提供することにある。
【０００７】
本発明の他の目的は、無線ＬＡＮにおいて、アップリンクデータをトリガする方法を実行する装置を提供することにある。
【課題を解決するための手段】
【０００８】
前述した本発明の目的を達成するための本発明の一側面による、無線ＬＡＮにおけるアップリンクデータ受信方法は、ＡＰ（ａｃｃｅｓｓ  ｐｏｉｎｔ）が任意接続用トリガフレームを送信するステップと、前記ＡＰが前記任意接続用トリガフレームに基づいて設定された任意接続ＴＸＯＰ（ｔｒａｎｓｍｉｓｓｉｏｎ  ｏｐｐｏｒｔｕｎｉｔｙ）上で少なくとも一つのＳＴＡから少なくとも一つのバッファ状態リポートフレームを受信するステップと、を含み、前記任意接続ＴＸＯＰは、複数の非特定ＳＴＡの各々のバッファ状態リポートフレームの送信のためのチャネルアクセスの試行のために割り当てられ、前記少なくとも一つのＳＴＡの各々は、前記複数の非特定ＳＴＡのうち前記チャネルアクセスを成功したＳＴＡである。
【０００９】
前述した本発明の目的を達成するための本発明の他の側面による、無線ＬＡＮにおけるアップリンクデータを受信するＡＰ（ａｃｃｅｓｓ  ｐｏｉｎｔ）は、無線信号を送信または受信するために具現されるＲＦ（ｒａｄｉｏ  ｆｒｅｑｕｅｎｃｙ）部と、前記ＲＦ部と動作可能なように（ｏｐｅｒａｔｉｖｅｌｙ）連結されたプロセッサと、を含み、前記プロセッサは、任意接続用トリガフレームを送信し、前記任意接続用トリガフレームに基づいて設定された任意接続ＴＸＯＰ（ｔｒａｎｓｍｉｓｓｉｏｎ  ｏｐｐｏｒｔｕｎｉｔｙ）上で少なくとも一つのＳＴＡから少なくとも一つのバッファ状態リポートフレームを受信するように具現され、前記任意接続ＴＸＯＰは、複数の非特定ＳＴＡの各々のバッファ状態リポートフレームの送信のためのチャネルアクセスの試行のために割り当てられ、前記少なくとも一つのＳＴＡの各々は、前記複数の非特定ＳＴＡのうち前記チャネルアクセスを成功したＳＴＡである。
例えば、本願発明は以下の項目を提供する。
（項目１）
無線ＬＡＮにおけるアップリンクデータ受信方法は、
ＡＰ（ａｃｃｅｓｓ  ｐｏｉｎｔ）が任意接続用トリガフレームを送信するステップ；及び、
前記ＡＰが前記任意接続用トリガフレームに基づいて設定された任意接続ＴＸＯＰ（ｔｒａｎｓｍｉｓｓｉｏｎ  ｏｐｐｏｒｔｕｎｉｔｙ）上で少なくとも一つのＳＴＡから少なくとも一つのバッファ状態リポートフレームを受信するステップ；を含み、
前記任意接続ＴＸＯＰは、複数の非特定ＳＴＡの各々のバッファ状態リポートフレームの送信のためのチャネルアクセスの試行のために割り当てられ、
前記少なくとも一つのＳＴＡの各々は、前記複数の非特定ＳＴＡのうち前記チャネルアクセスを成功したＳＴＡであることを特徴とする方法。
（項目２）
前記ＡＰが前記任意接続ＴＸＯＰに対する設定情報を送信するステップをさらに含み、
前記設定情報は、前記任意接続ＴＸＯＰのために割り当てられた時間リソース及び周波数リソースに対する情報を含むことを特徴とする項目１に記載の方法。
（項目３）
前記ＡＰが前記少なくとも一つのＳＴＡを含む複数のターゲットＳＴＡにＵＬ  ＭＵ（ｕｐｌｉｎｋ  ｍｕｌｔｉ−ｕｓｅｒ）トリガフレームを送信するステップ；及び、
前記ＡＰが前記複数のターゲットＳＴＡの各々からＵＬ  ＭＵ送信に基づいて重なった時間リソース上でアップリンクデータを受信するステップ；をさらに含むことを特徴とする項目１に記載の方法。
（項目４）
前記ＡＰがＢＳＳ（ｂａｓｉｃ  ｓｅｒｖｉｃｅ  ｓｅｔ）負荷状態を考慮して前記ＵＬ  ＭＵ送信の活性化可否を決定するステップ；及び、
前記ＡＰが前記ＵＬ  ＭＵ送信の活性化可否に対する情報を送信するステップ；をさらに含むことを特徴とする項目３に記載の方法。
（項目５）
前記少なくとも一つのＳＴＡは、前記任意接続ＴＸＯＰのために割り当てられた周波数リソース単位の個数に対する情報を考慮して前記割り当てられた周波数リソース単位のバックオフ手順に基づいて決定されることを特徴とする項目１に記載の方法。
（項目６）
前記チャネルアクセスは、前記バッファ状態リポートフレーム送信のためのバックオフ手順のために別途に定義された任意接続専用バックオフパラメータに基づいて実行されることを特徴とする項目１に記載の方法。
（項目７）
前記任意接続専用バックオフパラメータは、任意接続のためのコンテンションウィンドウに対する情報を含み、
前記チャネルアクセスは、前記任意接続のための前記コンテンションウィンドウ内で選択されたバックオフカウントに基づいて実行されることを特徴とする項目６に記載の方法。
（項目８）
無線ＬＡＮにおけるアップリンクデータを受信するＡＰ（ａｃｃｅｓｓ  ｐｏｉｎｔ）において、前記ＡＰは、
無線信号を送信または受信するために具現されるＲＦ（ｒａｄｉｏ  ｆｒｅｑｕｅｎｃｙ）部；及び、
前記ＲＦ部と動作可能なように（ｏｐｅｒａｔｉｖｅｌｙ）連結されたプロセッサ；を含み、
前記プロセッサは、任意接続用トリガフレームを送信し、
前記任意接続用トリガフレームに基づいて設定された任意接続ＴＸＯＰ（ｔｒａｎｓｍｉｓｓｉｏｎ  ｏｐｐｏｒｔｕｎｉｔｙ）上で少なくとも一つのＳＴＡから少なくとも一つのバッファ状態リポートフレームを受信するように具現され、
前記任意接続ＴＸＯＰは、複数の非特定ＳＴＡの各々のバッファ状態リポートフレームの送信のためのチャネルアクセスの試行のために割り当てられ、
前記少なくとも一つのＳＴＡの各々は、前記複数の非特定ＳＴＡのうち前記チャネルアクセスを成功したＳＴＡであることを特徴とするＡＰ。
（項目９）
前記プロセッサが前記任意接続ＴＸＯＰに対する設定情報を送信するように具現され、
前記設定情報は、前記任意接続ＴＸＯＰのために割り当てられた時間リソース及び周波数リソースに対する情報を含むことを特徴とする項目８に記載のＡＰ。
（項目１０）
前記プロセッサが前記少なくとも一つのＳＴＡを含む複数のターゲットＳＴＡにＵＬ  ＭＵ（ｕｐｌｉｎｋ  ｍｕｌｔｉ−ｕｓｅｒ）トリガフレームを送信し、
前記複数のターゲットＳＴＡの各々からＵＬ  ＭＵ送信に基づいて重なった時間リソース上でアップリンクデータを受信するように具現されることを特徴とする項目８に記載のＡＰ。
（項目１１）
前記プロセッサがＢＳＳ（ｂａｓｉｃ  ｓｅｒｖｉｃｅ  ｓｅｔ）負荷状態を考慮して前記ＵＬ  ＭＵ送信の活性化可否を決定し、
前記ＵＬ  ＭＵ送信の活性化可否に対する情報を送信するように具現されることを特徴とする項目１０に記載のＡＰ。
（項目１２）
前記少なくとも一つのＳＴＡは、前記任意接続ＴＸＯＰのために割り当てられた周波数リソース単位の個数に対する情報を考慮して前記割り当てられた周波数リソース単位のバックオフ手順に基づいて決定されることを特徴とする項目８に記載のＡＰ。
（項目１３）
前記チャネルアクセスは、前記バッファ状態リポートフレーム送信のためのバックオフ手順のために別途に定義された任意接続専用バックオフパラメータに基づいて実行されることを特徴とする項目８に記載のＡＰ。
（項目１４）
前記任意接続専用バックオフパラメータは、任意接続のためのコンテンションウィンドウに対する情報を含み、
前記チャネルアクセスは、前記任意接続のための前記コンテンションウィンドウ内で選択されたバックオフカウントに基づいて実行されることを特徴とする項目１３に記載のＡＰ。
【発明の効果】
【００１０】
ＡＰ（ａｃｃｅｓｓ  ｐｏｉｎｔ）のアップリンクデータのトリガに基づいてＵＬ（ｕｐｌｉｎｋ）ＭＵ（ｍｕｌｔｉ−ｕｓｅｒ）送信がサポートされることができる。したがって、無線ＬＡＮの効率性及び処理量が向上することができる。
【図面の簡単な説明】
【００１１】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】無線ＬＡＮにおけるスキャニング方法を示す概念図である。
【図３】ＡＰとＳＴＡのスキャニング手順以後に実行される認証手順及び結合手順を示す概念図である。
【図４】本発明の実施例に係るＵＬ  ＭＵ送信方法を示す概念図である。
【図５】本発明の実施例に係るＵＬ  ＭＵ送信手順を示す概念図である。
【図６】本発明の実施例に係るバッファ状態リポートＳＴＡ決定情報を示す概念図である。
【図７】本発明の実施例に係るＳＴＡのバッファ状態リポートフレームをトリガする方法を示す概念図である。
【図８】本発明の実施例に係るＳＴＡのバッファ状態リポートフレームをトリガする方法を示す概念図である。
【図９】本発明の実施例に係るＤＬ  ＭＵ  ＰＰＤＵフォーマットを示す概念図である。
【図１０】本発明の実施例に係るＵＬ  ＭＵ  ＰＰＤＵの送信を示す概念図である。
【図１１】本発明の実施例が適用されることができる無線装置を示すブロック図である。
【発明を実施するための形態】
【００１２】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１３】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（ｂａｓｉｃ  ｓｅｒｖｉｃｅ  ｓｅｔ）の構造を示す。
【００１４】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１５】
ＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１６】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１７】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１８】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ、ＩＢＳＳ）と定義する。
【００１９】
図１の下段は、ＩＢＳＳを示す概念図である。
【００２０】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２１】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２２】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２３】
以下、本実施例では、ＡＰからＳＴＡへ送信されるデータ（または、フレーム）はダウンリンクデータ（または、ダウンリンクフレーム）、ＳＴＡからＡＰへ送信されるデータ（または、フレーム）はアップリンクデータ（または、アップリンクフレーム）という用語で表現されることができる。また、ＡＰからＳＴＡへの送信はダウンリンク送信、ＳＴＡからＡＰへの送信はアップリンク送信という用語で表現できる。
【００２４】
また、ダウンリンク送信を介して送信されるＰＰＤＵ（ＰＨＹ  ｐｒｏｔｏｃｏｌ  ｄａｔａ  ｕｎｉｔ）、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレーム（または、ＭＡＣ階層の情報単位）を含み、またはフレームを指示するデータ単位である。ＰＨＹヘッダは、他の用語として、ＰＬＣＰ（ｐｈｙｓｉｃａｌ  ｌａｙｅｒ  ｃｏｎｖｅｒｇｅｎｃｅ  ｐｒｏｔｏｃｏｌ）ヘッダで表現され、ＰＨＹプリアンブルは、他の用語として、ＰＬＣＰプリアンブルで表現されることもできる。
【００２５】
また、アップリンク送信を介して送信されるＰＰＤＵ、フレーム及びデータの各々は、アップリンクＰＰＤＵ、アップリンクフレーム及びアップリンクデータという用語で表現されることができる。
【００２６】
既存の無線ＬＡＮシステムでは、ＳＵ（ｓｉｎｇｌｅ）−ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信に基づいて全体帯域幅が一つのＳＴＡへのダウンリンク送信及び一つのＳＴＡのアップリンク送信のために使われた。また、既存の無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ（ｄｏｗｎｌｉｎｋ）ＭＵ（ｍｕｌｔｉ−ｕｓｅｒ）送信を実行することができ、このような送信は、ＤＬ  ＭＵ  ＭＩＭＯ送信という用語で表現されることができる。
【００２７】
本実施例に係る無線ＬＡＮシステムでは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ベースの送信方法がアップリンク送信及びダウンリンク送信のためにサポートされることができる。具体的に、本実施例に係る無線ＬＡＮシステムにおいて、ＡＰがＯＦＤＭＡに基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が実行される場合、ＡＰは、重なった時間リソース上で複数の周波数リソースの各々を介して複数のＳＴＡの各々にダウンリンクデータ（または、ダウンリンクフレーム、ダウンリンクＰＰＤＵ）を送信することができる。複数の周波数リソースは、複数のサブバンド（または、サブチャネル）または複数のＲＵ（ｒｅｓｏｕｒｃｅ  ｕｎｉｔ）（例えば、ＢＴＵ（ｂａｓｉｃ  ｔｏｎｅ  ｕｎｉｔ）、ＳＴＵ（ｓｍａｌｌ  ｔｏｎｅ  ｕｎｉｔ））である。ＤＬ  ＭＵ  ＯＦＤＭＡ送信は、ＤＬ  ＭＵ  ＭＩＭＯ送信と共に使われることができる。例えば、ＤＬ  ＭＵ  ＯＦＤＭＡ送信のために割り当てられた特定サブバンド（または、サブチャネル）上で複数の時空間ストリーム（ｓｐａｃｅ−ｔｉｍｅ  ｓｔｒｅａｍ）（または、空間的ストリーム（ｓｐａｔｉａｌ  ｓｔｒｅａｍ））に基づいているＤＬ  ＭＵ  ＭＩＭＯ送信が実行されることができる。
【００２８】
また、本実施例に係る無線ＬＡＮシステムでは、複数のＳＴＡが同じ時間リソース上でＡＰにデータを送信するＵＬ  ＭＵ送信（ｕｐｌｉｎｋ  ｍｕｌｔｉ−ｕｓｅｒ  ｔｒａｎｓｍｉｓｓｉｏｎ）がサポートされることができる。複数のＳＴＡの各々による重なった時間リソース上でのアップリンク送信は、周波数ドメインまたは空間ドメイン（ｓｐａｔｉａｌ  ｄｏｍａｉｎ）上で実行されることができる。
【００２９】
複数のＳＴＡの各々によるアップリンク送信が周波数ドメイン上で実行される場合、ＯＦＤＭＡに基づいて複数のＳＴＡの各々に対して互いに異なる周波数リソースがアップリンク送信リソースに割り当てられることができる。互いに異なる周波数リソースは、互いに異なるサブバンド（または、サブチャネル）または互いに異なるＲＵ（ｒｅｓｏｕｒｃｅ  ｕｎｉｔ）（例えば、ＢＴＵ（ｂａｓｉｃ  ｔｏｎｅ  ｕｎｉｔ）、ＳＴＵ（ｓｍａｌｌ  ｔｏｎｅ  ｕｎｉｔ））である。複数のＳＴＡの各々は、割り当てられた互いに異なる周波数リソースを介してＡＰにアップリンクデータを送信することができる。このような互いに異なる周波数リソースを介した送信方法は、ＵＬ  ＭＵ  ＯＦＤＭＡ送信方法という用語で表現されることもできる。
【００３０】
複数のＳＴＡの各々によるアップリンク送信が空間ドメイン上で実行される場合、複数のＳＴＡの各々に対して互いに異なる時空間ストリーム（または、空間的ストリーム）が割り当てられ、複数のＳＴＡの各々が互いに異なる時空間ストリームを介してアップリンクデータをＡＰに送信することができる。このような互いに異なる空間的ストリームを介した送信方法は、ＵＬ  ＭＵ  ＭＩＭＯ送信方法という用語で表現されることもできる。
【００３１】
ＵＬ  ＭＵ  ＯＦＤＭＡ送信とＵＬ  ＭＵ  ＭＩＭＯ送信は共に実行されることができる。例えば、ＵＬ  ＭＵ  ＯＦＤＭＡ送信のために割り当てられた特定サブバンド（または、サブチャネル）上で複数の時空間ストリーム（または、空間的ストリーム）に基づいているＵＬ  ＭＵ  ＭＩＭＯ送信が実行されることができる。
【００３２】
このようなＵＬ  ＭＵ送信は、ＡＰによるトリガにより実行されることができる。ＡＰは、複数のＳＴＡのＵＬ  ＭＵ送信をトリガするために結合されたＳＴＡにペンディングとなっている（または、バッファされた）アップリンクデータに対する情報をあらかじめ取得する必要がある。また、ＡＰは、無線ＬＡＮ効率性を高めるためにＢＳＳ負荷の状態を考慮してＵＬ  ＭＵ送信をトリガするかどうかを決定することもできる。
【００３３】
図２は、無線ＬＡＮにおけるスキャニング方法を示す概念図である。
【００３４】
図２を参照すると、スキャニング方法は、パッシブスキャニング（ｐａｓｓｉｖｅ  ｓｃａｎｎｉｎｇ）２００とアクティブスキャニング（ａｃｔｉｖｅ  ｓｃａｎｎｉｎｇ）２５０とに区分されることができる。
【００３５】
図２の左側を参照すると、パッシブスキャニング２００は、ＡＰ２００が周期的にブロードキャストするビーコンフレーム２３０により実行されることができる。無線ＬＡＮのＡＰ２１０は、ビーコンフレーム２３０を特定周期（例えば、１００ｍｓｅｃ）毎にｎｏｎ−ＡＰ  ＳＴＡ２４０にブロードキャストする。ビーコンフレーム２３０には現在のネットワークに対する情報が含まれることができる。ｎｏｎ−ＡＰ  ＳＴＡ２４０は、周期的にブロードキャストされるビーコンフレーム２３０を受信することで、ネットワーク情報を受信して認証／結合（ａｕｔｈｅｎｔｉｃａｔｉｏｎ／ａｓｓｏｃｉａｔｉｏｎ）過程を実行するＡＰ２１０とチャネルに対するスキャニングを実行することができる。
【００３６】
パッシブスキャニング方法２００は、ｎｏｎ−ＡＰ  ＳＴＡ２４０がフレームを送信する必要無しでＡＰ２１０で送信されるビーコンフレーム２３０を受信すればよい。したがって、パッシブスキャニング２００は、ネットワークでデータの送信／受信により発生される全体的なオーバーヘッドが小さいという長所がある。しかし、ビーコンフレーム２３０の周期に比例して受動的にスキャニングを実行せざるを得ないため、スキャニングの実行にかかる時間がアクティブスキャニング方法と比較して相対的に増えるという短所がある。ビーコンフレームに対する具体的な説明は、２０１１年１１月に開示されたＩＥＥＥ  Ｄｒａｆｔ  Ｐ８０２．１１−ＲＥＶｍｂＴＭ／Ｄ１２、Ｎｏｖｅｍｂｅｒ  ２０１１‘ＩＥＥＥ  Ｓｔａｎｄａｒｄ  ｆｏｒ  Ｉｎｆｏｒｍａｔｉｏｎ  Ｔｅｃｈｎｏｌｏｇｙ  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓ（以下、ＩＥＥＥ８０２．１１）’の８．３．３．２  ｂｅａｃｏｎ  ｆｒａｍｅに開示されている。
【００３７】
図２の右側を参照すると、アクティブスキャニング２５０では、ｎｏｎ−ＡＰ  ＳＴＡ２９０がプローブ要求フレーム２７０をＡＰ２６０に送信して主導的にスキャニングを実行することができる。
【００３８】
ＡＰ２６０では、ｎｏｎ−ＡＰ  ＳＴＡ２９０からプローブ要求フレーム２７０を受信した後、フレーム衝突（ｆｒａｍｅ、ｃｏｌｌｉｓｉｏｎ）を防止するためにランダム時間待った後、プローブ応答フレーム２８０にネットワーク情報を含んでｎｏｎ−ＡＰ  ＳＴＡ２９０に送信することができる。ｎｏｎ−ＡＰ  ＳＴＡ２９０は、受信したプローブ応答フレーム２８０に基づいてネットワーク情報を得てスキャニング過程を中止することができる。
【００３９】
アクティブスキャニング２５０の場合、ｎｏｎ−ＡＰ  ＳＴＡ２９０が主導的にスキャニングを実行するため、スキャニングに使われる時間が短いという長所がある。しかし、ｎｏｎ−ＡＰ  ＳＴＡ２９０がプローブ要求フレーム２７０を送信しなければならないため、フレームの送信及び受信のためのネットワークオーバーヘッドが増加するという短所がある。プローブ要求フレーム２７０は、ＩＥＥＥ８０２．１１  ８．３．３．９節に開示されており、プローブ応答フレーム２８０は、ＩＥＥＥ８０２．１１  ８．３．３．１０に開示されている。
【００４０】
スキャニングが終わった後、ＡＰとｎｏｎ−ＡＰ  ＳＴＡは、認証（ａｕｔｈｅｎｔｉｃａｔｉｏｎ）手順と結合（ａｓｓｏｃｉａｔｉｏｎ）手順を実行することができる。
【００４１】
図３は、ＡＰとＳＴＡのスキャニング手順以後に実行される認証手順及び結合手順を示す概念図である。
【００４２】
図３を参照すると、パッシブ／アクティブスキャニングを実行した後、スキャニングされたＡＰのうち一つのＡＰと認証手順及び結合手順を実行することができる。
【００４３】
認証（ａｕｔｈｅｎｔｉｃａｔｉｏｎ）及び結合（ａｓｓｏｃｉａｔｉｏｎ）手順は、例えば、２ウェイハンドシェイキング（２−ｗａｙ  ｈａｎｄｓｈａｋｉｎｇ）を介して実行されることができる。図３の左側は、パッシブスキャニング後、認証及び結合手順を示す概念図であり、図３の右側は、アクティブスキャニング後、認証及び結合手順を示す概念図である。
【００４４】
認証手順及び結合手順は、アクティブスキャニング方法を使用したか、またはパッシブスキャニングを使用したかと関係無しで、認証要求フレーム（ａｕｔｈｅｎｔｉｃａｔｉｏｎ  ｒｅｑｕｅｓｔ  ｆｒａｍｅ）３１０／認証応答フレーム（ａｕｔｈｅｎｔｉｃａｔｉｏｎ  ｒｅｓｐｏｎｓｅ  ｆｒａｍｅ）３２０、及び結合要求フレーム（ａｓｓｏｃｉａｔｉｏｎ  ｒｅｑｕｅｓｔ  ｆｒａｍｅ）３３０／結合応答フレーム（ａｓｓｏｃｉａｔｉｏｎ  ｒｅｓｐｏｎｓｅ  ｆｒａｍｅ）３４０をＡＰ３００、３５０とｎｏｎ−ＡＰ  ＳＴＡ３０５、３５５との間で交換することで同じように実行されることができる。
【００４５】
認証手順では、ｎｏｎ−ＡＰ  ＳＴＡ３０５、３５５は、認証要求フレーム３１０をＡＰ３００、３５０に送信することができる。ＡＰ３００、３５０は、認証要求フレーム３１０に対する応答として認証応答フレーム３２０をｎｏｎ−ＡＰ  ＳＴＡ３０５、３５５に送信することができる。認証フレームフォーマット（ａｕｔｈｅｎｔｉｃａｔｉｏｎ  ｆｒａｍｅ  ｆｏｒｍａｔ）に対してはＩＥＥＥ８０２．１１  ８．３．３．１１に開示れている。
【００４６】
結合手順では、ｎｏｎ−ＡＰ  ＳＴＡ３０５、３５５は、結合要求フレーム（ａｓｓｏｃｉａｔｉｏｎ  ｒｅｑｕｅｓｔ  ｆｒａｍｅ）３３０をＡＰ３００、３０５に送信することができる。ＡＰ３０５、３５５は、結合要求フレーム３３０に対する応答として結合応答フレーム３４０をｎｏｎ−ＡＰ  ＳＴＡ３００、３５０に送信することができる。ＡＰに送信された結合要求フレーム３３０にはｎｏｎ−ＡＰ  ＳＴＡ３０５、３５５の性能（ｃａｐａｂｉｌｉｔｙ）に対する情報が含まれている。ｎｏｎ−ＡＰ  ＳＴＡ３０５、３５５の性能情報に基づき、ＡＰ３００、３５０は、ｎｏｎ−ＡＰ  ＳＴＡ３０５、３５５に対するサポートが可能かどうかを判断することができる。ｎｏｎ−ＡＰ  ＳＴＡ３０５、３５５に対するサポートが可能な場合、ＡＰ３００、３５０は、結合応答フレーム３４０をｎｏｎ−ＡＰ  ＳＴＡ３０５、３５５に送信することができる。結合応答フレーム３４０は、結合要求フレーム３３０に対する受諾可否とその理由、自分がサポート可能な性能情報（ｃａｐａｂｉｌｉｔｙ  ｉｎｆｏｒｍａｔｉｏｎ）を含むことができる。結合フレームフォーマット（ａｓｓｏｃｉａｔｉｏｎ  ｆｒａｍｅ  ｆｏｒｍａｔ）に対してはＩＥＥＥ８０２．１１  ８．３．３．５／８．３．３．６に開示されている。
【００４７】
ＡＰとｎｏｎ−ＡＰ  ＳＴＡとの間で結合手順が実行された以後、ＡＰとｎｏｎ−ＡＰ  ＳＴＡとの間で正常なデータの送信及び受信が実行されることができる。ＡＰとｎｏｎ−ＡＰ  ＳＴＡとの間の結合手順が失敗した場合、結合が失敗した理由に基づいて再びＡＰと結合手順を実行し、または他のＡＰと結合手順を実行することもできる。
【００４８】
ＳＴＡがＡＰと結合される場合、ＳＴＡは、ＡＰから結合ＩＤ（ａｓｓｏｃｉａｔｉｏｎ  ｉｄｅｎｔｉｆｉｅｒ、ＡＩＤ）の割当を受けることができる。ＳＴＡに割り当てられたＡＩＤは、一つのＢＳＳ内では唯一な値であり、現在ＡＩＤは、１〜２００７のうち一つの値である。ＡＩＤのために１４ｂｉｔが割り当てられて最大１６３８３までＡＩＤの値として使用可能であるが、２００８〜１６３８３の値は、予備（ｒｅｓｅｒｖｅｄ）されている。
【００４９】
図４は、本発明の実施例に係るＵＬ  ＭＵ送信方法を示す概念図である。
【００５０】
図４では、複数のＳＴＡのＵＬ  ＭＵ送信のための事前手順が開示される。
【００５１】
図４を参照すると、ＳＴＡの初期アクセス手順（例えば、スキャニング手順、認証手順、結合手順）が実行される時、ＡＰとＳＴＡは、ＵＬ  ＭＵ送信能力に対して交渉（ｎｅｇｏｔｉａｔｉｏｎ）することができる。例えば、ＳＴＡは、初期アクセス手順に使われる初期アクセスフレーム（例えば、結合要求フレーム）を介してＵＬ  ＭＵ送信が可能かどうかに対する情報をＡＰに送信することができる。ＡＰは、ＳＴＡにより送信された初期アクセスフレームに対する応答フレーム（例えば、結合応答フレーム）を介してＵＬ  ＭＵ送信のサポートに対する情報を送信することができる。ＵＬ  ＭＵ送信のサポート可否がＳＴＡとＡＰとの間に確認された場合、ＳＴＡは、ＡＰのトリガフレームによりトリガされてアップリンクデータをＵＬ  ＭＵ送信に基づいてＡＰに送信することができる。
【００５２】
ＡＰは、ＵＬ  ＭＵ送信をトリガするかどうかを決定する。
【００５３】
ＡＰは、ＢＳＳ負荷の状態、ＵＬ  ＭＵ送信をサポートするＳＴＡの個数に対する情報などを考慮してＵＬ  ＭＵ送信をトリガするかどうかを決定することができる。例えば、ＢＳＳ負荷が激しい（ｈｅａｖｙ）状態であり、またはＵＬ  ＭＵ送信をサポートするＳＴＡの個数が閾値以上の場合、ＡＰは、ＵＬ  ＭＵ送信をトリガすることができる。
【００５４】
ＵＬ  ＭＵ送信のトリガが決定された場合、ＡＰは、ＳＴＡのバッファ状態情報を収集することができる。
【００５５】
ＡＰは、ＳＴＡのバッファ情報の送信をトリガするための任意接続用トリガフレーム４００を送信することができる。任意接続用トリガフレーム４００は、ブロードキャストに基づいて送信されることができる。任意接続用トリガフレーム４００は、バッファ状態トリガフレームという用語で表現されることもできる。
【００５６】
ＡＰは、任意接続用トリガフレーム４００以前に送信された他のフレームまたは任意接続用トリガフレーム４００を介して、バッファ状態トリガフレーム４００に基づいてバッファ状態情報を送信するＳＴＡを制限（または、決定）するための情報を送信することができる。任意接続用トリガフレーム４００に基づいてバッファ状態情報を送信するＳＴＡを制限（または、決定）するための情報は、バッファ状態リポートＳＴＡ決定情報という用語で表現されることができる。バッファ状態リポートＳＴＡ決定情報に対しては後述する。
【００５７】
ＳＴＡは、任意接続用トリガフレーム４００を受信し、任意接続用トリガフレーム４００により取得されたＴＸＯＰ（ｔｒａｎｓｍｉｓｓｉｏｎ  ｏｐｐｏｒｔｕｎｉｔｙ）上で任意接続用トリガフレーム４００に対する応答としてバッファ状態リポートフレーム４１０を送信することができる。バッファ状態リポートフレーム４１０は、ＳＴＡのバッファ状態情報（または、ペンディングとなっている（または、バッファされた）アップリンクデータに対する情報）を含むことができる。例えば、バッファ状態情報は、ペンディングとなっているアップリンクデータの大きさ、ペンディングとなっているアップリンクデータのアクセスカテゴリ、バックオフカウントなどを含むことができる。バッファ状態リポートフレーム４１０は、ＡＰにより送信されたバッファ状態リポートＳＴＡ決定情報に基づいて設定された条件を満たすＳＴＡによってのみ送信されることができる。
【００５８】
または、本発明の実施例によると、バッファ状態リポートフレーム４１０は、ＡＰのＢＳＳ内でＵＬ  ＭＵ送信の制限的活性化／活性化可否の決定によって、バッファ状態リポートＳＴＡ決定情報に基づいて設定された条件を満たさないＳＴＡにより送信されることができる。また、バッファ状態リポートフレーム４１０は、ＡＰのＢＳＳ内でＵＬ  ＭＵ送信の非活性化によって、バッファ状態リポートＳＴＡ決定情報を満たすＳＴＡによっても送信されない場合もある。これに対しては具体的に後述する。
【００５９】
ＳＴＡのバッファ状態情報は、バッファ状態リポートフレーム４１０のような独立されたフレーム（または、スタンドアローンフレーム）を介して送信されることもできるが、ＳＴＡは、バッファ状態情報をピギーバック（ｐｉｇｇｙｂａｃｋ）方式で送信することもできる。例えば、ＳＴＡは、アップリンクを介して送信される既存のデータフレーム、制御フレーム、管理フレームにバッファ状態情報をピギーバックして送信することもできる。ＳＴＡは、任意接続用トリガフレーム４００に対する応答としてピギーバックされたアップリンクフレームを送信することもでき、別途の任意接続用トリガフレーム４００によるトリガ無しでバッファ状態情報をピギーバック方式で送信することができる。
【００６０】
前記のような方式で、ＡＰは、複数のＳＴＡの各々のバッファ状態情報を取得することができる。
【００６１】
ＡＰは、取得された複数のＳＴＡの各々のバッファ状態情報に基づいてＵＬ  ＭＵ送信をトリガすることができる。ＡＰは、ＵＬ  ＭＵ送信をトリガするＵＬ  ＭＵトリガフレーム４２０を、ＵＬ  ＭＵ送信を実行する複数のターゲットＳＴＡに送信することができる。
【００６２】
ＵＬ  ＭＵトリガフレーム４２０にはＵＬ  ＭＵ送信を実行する複数のターゲットＳＴＡに対する情報、複数のターゲットＳＴＡの各々のアップリンクデータの送信のためのアップリンクリソースに対する情報、複数のターゲットＳＴＡの各々のアップリンクデータの送信のためのＴＸＯＰに対する情報、複数のターゲットＳＴＡの各々のアップリンクデータの送信タイミングに対する情報などを含むことができる。
【００６３】
具体的に、ＵＬ  ＭＵ送信を実行する複数のターゲットＳＴＡに対する情報は、複数のターゲットＳＴＡの各々のＡＩＤ（ａｓｓｏｃｉａｔｉｏｎ  ｉｄｅｎｔｉｆｉｅｒ）に対する情報を含むことができる。また、複数のターゲットＳＴＡの各々のアップリンクデータの送信のためのアップリンクリソースに対する情報は、複数のターゲットＳＴＡの各々に割り当てられたサブチャネル（または、サブバンド、ＲＵ）に対する情報及び／または複数のターゲットＳＴＡの各々に割り当てられた時空間ストリーム（ｓｐａｃｅ−ｔｉｍｅ  ｓｔｒｅａｍ）に対する情報を含むことができる。
【００６４】
複数のターゲットＳＴＡの各々は、ＵＬ  ＭＵトリガフレーム４２０を受信し、割り当てられたアップリンクリソースを介してＴＸＯＰデュレーションにアップリンクフレームを介してアップリンクデータをＵＬ  ＭＵ  ＰＰＤＵ４３０を介してＡＰに送信することができる。
【００６５】
図５は、本発明の実施例に係るＵＬ  ＭＵ送信手順を示す概念図である。
【００６６】
図５では、ＡＰのＵＬ  ＭＵ送信に対する活性化／非活性化（ｅｎａｂｌｅ／ｄｉｓａｂｌｅ）方法が開示される。
【００６７】
図５を参照すると、ＡＰは、ＢＳＳ内のＵＬ  ＭＵ送信の活性化可否を決定することができる。ＡＰとＳＴＡによりＵＬ  ＭＵ送信がサポートされる場合にも、ＡＰは、ＢＳＳ内のＵＬ  ＭＵ送信の活性化可否を決定することができる。
【００６８】
ＢＳＳ内のＵＬ  ＭＵ送信の活性化可否に対する情報は、Ｎビット（ここで、Ｎは自然数）で定義され、ダウンリンクフレーム（例えば、ダウンリンク管理フレームであるビーコンフレーム）を介して送信され、またはダウンリンクフレームのＭＡＣ（ｍｅｄｉｕｍ  ａｃｃｅｓｓ  ｃｏｎｔｒｏｌ）ヘッダにピギーバックされて送信されることができる。ＢＳＳ内のＵＬ  ＭＵ送信の活性化可否を指示するＮビットは、ＵＬ  ＭＵ送信活性化情報（または、ＵＬ  ＭＵ動作モード情報）という用語で表現されることができる。例えば、ＮビットのＵＬ  ＭＵ送信活性化情報（または、ＵＬ  ＭＵ動作モード情報）は、ＵＬ  ＭＵの送信の非活性化／制限的活性化／活性化のうち一つを指示することができる。ＵＬ  ＭＵ送信活性化情報（または、ＵＬ  ＭＵ動作モード情報）は、ビーコンフレームのようなフレームを介してブロードキャスト方式で送信され、またはピギーバックされたユニキャストダウンリンクフレームのようなフレームを介してユニキャスト方式で送信されることもできる。
【００６９】
例えば、ＡＰは、ＢＳＳ負荷を判断してＵＬ  ＭＵ送信に対する活性化可否を決定することができる。ＢＳＳ負荷状態は、ＡＰにより、軽いＢＳＳ負荷状態（ｌｉｇｈｔ  ＢＳＳ  ｌｏａｄ）（または、第１のＢＳＳ負荷状態）、中間ＢＳＳ負荷状態（ｍｅｄｉｕｍ  ＢＳＳ  ｌｏａｄ）（または、第２のＢＳＳ負荷状態）、激しいＢＳＳ負荷状態（ｈｅａｖｙ  ＢＳＳ  ｌｏａｄ）（または、第３のＢＳＳ負荷状態）のうち一つに分類されることができる。前記のようなＢＳＳ負荷状態は、ＢＳＳに結合されたＳＴＡの個数、チャネルがビジー（ｂｕｓｙ）状態である時間に基づいて算出されるチャネル活用度（ｃｈａｎｎｅｌ  ｕｔｉｌｉｚａｔｉｏｎ）、空間的ストリーム（または、時空間ストリーム）の活用度などを考慮して決定されることができる。
【００７０】
具体的に、ＡＰがＢＳＳ負荷状態を軽いＢＳＳ負荷状態（または、第１の負荷状態５１０）と判断する場合、ＡＰは、ＵＬ  ＭＵ送信を非活性化させることができる。ＡＰは、ＵＬ  ＭＵ送信の非活性化を指示するＵＬ  ＭＵ送信活性化情報を送信することができる。このような場合、ＢＳＳに含まれるＳＴＡは、ＵＬ  ＭＵ送信の代わりにＵＬ  ＳＵ送信に基づいてアップリンクデータをＡＰに送信することができる。
【００７１】
ＡＰがＢＳＳ負荷状態を中間ＢＳＳ負荷状態（または、第２の負荷状態５２０）と判断する場合、ＡＰは、ＵＬ  ＭＵ送信を活性化させ、一定の条件が満たされる場合にのみＵＬ  ＭＵ送信をトリガすることができる。他の表現として、ＡＰがＢＳＳ負荷状態を中間ＢＳＳ負荷状態（または、第２の負荷状態５２０）と判断する場合、ＡＰは、ＵＬ  ＭＵ送信を制限的に許容することができる。ＡＰは、ＵＬ  ＭＵ送信の制限的活性化を指示するＵＬ  ＭＵ送信活性化情報をＢＳＳに含まれるＳＴＡに送信することができる。
【００７２】
バッファ状態リポートＳＴＡ決定情報に基づいて設定された条件を満たすＳＴＡのみがバッファ状態情報をＡＰに送信することができ、ＵＬ  ＭＵ送信を実行することができる。例えば、バッファ状態リポートＳＴＡ決定情報に基づいて設定されたバックオフカウント閾値より大きい（または、小さい）バックオフカウントを有するアクセスカテゴリのアップリンクデータがペンディングとなっている場合、ＳＴＡは、バッファ状態情報をＡＰに送信することができる。このような場合、ＢＳＳ内でバッファ状態情報を送信することができるＳＴＡが制限されることができ、ＵＬ  ＭＵ送信を実行するターゲットＳＴＡが制限されることができる。
【００７３】
または、バッファ状態情報をピギーバック方式によってのみ送信可能なようにすることによって、ＵＬ  ＭＵ送信が可能なターゲットＳＴＡが制限されることもできる。即ち、ＡＰにより送信される任意接続用トリガフレームによるトリガ（または、ポーリング）でないピギーバック方式によってのみＳＴＡのバッファ状態情報を収集してＢＳＳ内でバッファ状態情報を送信することができるＳＴＡが制限されることができ、ＵＬ  ＭＵ送信を実行するターゲットＳＴＡが制限されることができる。
【００７４】
ＵＬ  ＭＵ送信がトリガされないＳＴＡは、ＵＬ  ＳＵ送信を実行することができる。例えば、バッファ状態情報を送信することができなくてＡＰによりＵＬ  ＭＵ送信がトリガされない場合、ＳＴＡは、ＥＤＣＡ（Ｅｎｈａｎｃｅｄ  ｄｉｓｔｒｉｂｕｔｅｄ  ｃｈａｎｎｅｌ  ａｃｃｅｓｓ）ベースのチャネルアクセスを介して媒体を取得してアップリンクフレームをＡＰに送信することができる。
【００７５】
ＡＰがＢＳＳ負荷状態を激しいＢＳＳ負荷状態（または、第３の負荷状態５３０）と判断する場合、ＡＰはＵＬ  ＭＵ送信に基づいているアップリンクデータの送信をトリガすることができる。
【００７６】
ＡＰは、ＵＬ  ＭＵ送信の活性化を指示するＵＬ  ＭＵ送信活性化情報をＢＳＳに含まれるＳＴＡに送信することができる。このような場合、ＳＴＡは、ＡＰのトリガに基づいてＵＬ  ＭＵ送信を介してアップリンクデータをＡＰに送信することができる。
【００７７】
ＳＴＡは、ＵＬ  ＭＵ送信の活性化を指示するＵＬ  ＭＵ送信活性化情報を受信した場合、バッファ状態リポートＳＴＡ決定情報に基づいて設定された条件を満たすかどうかを考慮せずに、バッファ状態情報をＡＰに送信することができる。即ち、ＢＳＳ内でバッファ状態情報を送信することができるＳＴＡが制限されず、ＵＬ  ＭＵ送信を実行するターゲットＳＴＡが制限されない。
【００７８】
例えば、バッファ状態リポートＳＴＡ決定情報に基づいて設定されたバックオフカウント閾値を考慮せず、またはバックオフカウント閾値を０または１に設定し、ＳＴＡがバッファ状態情報をＡＰに送信することができる。バッファ状態情報は、ピギーバック方式及び／または任意接続用トリガフレームによるトリガ（または、ポーリング）方式を両方とも使用してＳＴＡにより送信されることができる。
【００７９】
ＡＰがＢＳＳ負荷状態を激しいＢＳＳ負荷状態（または、第３の負荷状態５３０）と判断する場合にもＵＬ  ＳＵ送信が実行されることができる。ＡＰがＵＬ  ＭＵ送信を活性化した場合にも、以下のような制限的条件下でＵＬ  ＳＵ送信が実行されることができる。
【００８０】
バッファ状態情報の送信のためのバッファ状態リポートフレームは。任意接続用トリガフレームによりトリガ（または、ポーリング）されてＵＬ  ＳＵ送信に基づいてＳＴＡにより送信されることができる。
【００８１】
また、ＳＴＡは、任意接続用トリガフレームの送信によりバッファ状態リポートフレームがトリガされない場合にも、バッファ状態情報を送信することができる。このようなバッファ状態情報のリポートは、要求されていないバッファ状態リポート（ｕｎｓｏｌｉｃｉｔｅｄ  ｂｕｆｆｅｒ  ｓｔａｔｕｓ  ｒｅｐｏｒｔ）という用語で表現され、要求されていないバッファ状態リポートに基づいて送信されるバッファ状態情報は、要求されていないバッファ状態情報という用語で表現されることができる。
【００８２】
要求されていないバッファ状態情報は、既存のアクセスカテゴリ（ａｃｃｅｓｓ  ｃａｔｅｇｏｒｙ、ＡＣ）のうち一つのＡＣに対応されるデータに分類されて既存のＡＣパラメータを使用したＥＤＣＡに基づいて送信されることができる。または、要求されていないバッファ状態情報は、新しいＡＣに対応されるデータで定義されて新しく定義されたＡＣパラメータを使用したＥＤＣＡを使用して送信されることもできる。新しく定義されたＡＣパラメータは、要求されていないバッファ状態情報のための新しいＡＣが既存の他のアクセスカテゴリ（ＡＣ＿ＢＥ（ｂｅｓｔ  ｅｆｆｏｒｔ）、ＡＣ＿ＢＫ（ｂａｃｋｇｒｏｕｎｄ）、ＡＣ＿ＶＩ（ｖｉｄｅｏ）、ＡＣ＿ＶＯ（ｖｏｉｃｅ））より高い優先順位を有するように設定されることができる。
【００８３】
要求されていないバッファ状態情報は、設定された特定タイマの満了時に実行されることができる。設定された特定タイマは、トリガされたバッファ状態リポートフレームの送信のための時間区間を設定するためのタイマであり、最大ポーリングタイマ（ｍａｘ  ｐｏｌｌｉｎｇ  ｔｉｍｅｒ）または最大トリガタイマ（ｍａｘ  ｔｒｉｇｇｅｒ  ｔｉｍｅｒ）という用語で表現されることができる。即ち、トリガに基づいて送信されるバッファ状態リポートフレームの送信のための時間リソースを除外した時間リソースで要求されていないバッファ状態リポートが実行されることができる。
【００８４】
ＡＰがＢＳＳ負荷状態を激しいＢＳＳ負荷状態（または、第３の負荷状態）と判断する場合、ＵＬ  ＭＵ送信方法に対しては図５で追加的に開示する。
【００８５】
図６は、本発明の実施例に係るバッファ状態リポートＳＴＡ決定情報を示す概念図である。
【００８６】
図６では、バッファ状態リポートＳＴＡ決定情報６００を介して送信される必要不可欠な情報が開示される。ＡＰにより送信されたバッファ状態リポートＳＴＡ決定情報６００に基づいてＳＴＡのバッファ状態リポートフレームの送信（または、バッファ状態情報のリポート）可否が決定されることができる。バッファ状態リポートＳＴＡ決定情報６００は、ＡＰによりダウンリンクフレーム（例えば、ビーコンフレーム、結合応答フレーム、任意接続用トリガフレーム等）を介して送信されることができる。
【００８７】
図６を参照すると、バッファ状態リポートＳＴＡ決定情報６００は、バックオフカウント情報６１０、ＡＣ情報６２０、キューサイズ情報６３０のうち少なくとも一つを含むことができる。
【００８８】
バックオフカウント情報６１０は、バッファ状態リポートフレームの送信のためのバックオフカウントの閾値に対する情報を含むことができる。ＳＴＡは、複数のアクセスカテゴリの各々に対応されるペンディングとなっているアップリンクデータを有することができ、ペンディングとなっているアップリンクデータの送信のために複数のアクセスカテゴリの各々に対応される個別的なバックオフカウントが設定されることができる。
【００８９】
バックオフカウント情報６１０により設定されたバックオフカウントの閾値より特定アクセスカテゴリに対応されるバッファされたデータの送信のためのバックオフカウントが大きい場合、ＳＴＡは、特定アクセスカテゴリに関連したバッファ状態情報をバッファ状態リポートフレームを介してＡＰに送信することができる。バックオフカウント情報６１０により設定されたバックオフカウントの閾値より特定アクセスカテゴリに対応されるバッファされたデータの送信のためのバックオフカウントが小さいまたは同じ場合、ＳＴＡは、特定アクセスカテゴリに関連したバッファ状態情報をバッファ状態リポートフレームを介してＡＰに送信しない。
【００９０】
それに対し、本発明の他の実施例によると、バックオフカウント情報６１０により設定されたバックオフカウントの閾値より特定アクセスカテゴリに対応されるバッファされたデータの送信のためのバックオフカウントが小さいまたは同じ場合、ＳＴＡは、特定アクセスカテゴリに関連したバッファ状態情報をバッファ状態リポートフレームを介してＡＰに送信することもできる。バックオフカウント情報６１０により設定されたバックオフカウントの閾値より特定アクセスカテゴリに対応されるバッファされたデータの送信のためのバックオフカウントが大きい場合、ＳＴＡは、特定アクセスカテゴリに関連したバッファ状態情報をバッファ状態リポートフレームを介してＡＰに送信しない。
【００９１】
ＡＣ情報６２０は、ＳＴＡによりリポートされるアクセスカテゴリに対する情報を含むことができる。ＡＣ情報６２０は、複数のアクセスカテゴリのうち特定アクセスカテゴリに関連したバッファ状態情報のみを要求するために使われることができる。例えば、ＡＣ情報６２０は、４個のビットは含み、４個のビットの各々は、ＳＴＡにバッファ状態情報を要求するアクセスカテゴリを指示することができる。４個のビットのうち、ビット１は、ＡＣ＿ＢＥ（ｂｅｓｔ  ｅｆｆｏｒｔ）に対応されるバッファ状態情報のリポートを活性化し、ビット２は、ＡＣ＿ＢＫ（ｂａｃｋｇｒｏｕｎｄ）に対応されるバッファ状態情報のリポートを活性化し、ビット３は、ＡＣ＿ＶＩ（ｖｉｄｅｏ）に対応されるバッファ状態情報のリポートを活性化し、ビット４は、ＡＣ＿ＶＯ（ｖｏｉｃｅ）に対応されるバッファ状態情報のリポートを活性化することができる。ＳＴＡは、ＡＣ情報に基づいて活性化されたアクセスカテゴリと関連したバッファ状態情報のみをバッファ状態リポートフレームを介してＡＰに送信することができる。
【００９２】
キューサイズ情報６３０は、バッファ状態情報の送信のためのアップリンクデータの臨界大きさに対する情報を含むことができる。ＳＴＡは、ＳＴＡの複数のアクセスカテゴリの各々に対応されるペンディングとなっているアップリンクデータのうち、キューサイズ情報６３０により設定された臨界大きさより大きいキューサイズ（または、データ大きさ）を有するアップリンクデータが存在するかどうかを判断することができる。ＳＴＡは、臨界大きさより大きいキューサイズを有するアップリンクデータに対応されるアクセスカテゴリに関連したバッファ状態情報のみをバッファ状態リポートフレームを介してＡＰに送信することができる。
【００９３】
それに対し、本発明の他の実施例によると、ＳＴＡは、ＳＴＡの複数のアクセスカテゴリの各々に対応されるバッファされたデータのうち、キューサイズ情報６３０により設定された臨界大きさより小さいまたは同じキューサイズを有するデータが存在するかどうかを判断することができる。ＳＴＡは、臨界大きさより小さいまたは同じキューサイズを有するデータに対応されるアクセスカテゴリに関連したバッファ状態情報のみをバッファ状態リポートフレームを介してＡＰに送信することができる。
【００９４】
図４では、バッファ状態リポートＳＴＡ決定情報６００を介して送信される必要不可欠な情報を満たす場合、バッファ状態リポートフレームを介してバッファ状態情報が送信される場合が仮定された。しかし、バッファ状態リポートＳＴＡ決定情報６００を介して送信される必要不可欠な情報を満たす場合、バッファ状態情報をピギーバックしたアップリンクフレームを介してバッファ状態情報が送信されることもできる。
【００９５】
図７は、本発明の実施例に係るＳＴＡのバッファ状態リポートフレームをトリガする方法を示す概念図である。
【００９６】
図７では、ＡＰがＢＳＳ負荷状態を激しいＢＳＳ負荷状態（または、第３の負荷状態）と判断した場合、ＵＬ  ＭＵ送信方法が開示される。
【００９７】
図７を参照すると、ＡＰは、バッファ状態リポートフレームの送信のためのＴＸＯＰを特定（ｓｐｅｃｉｆｉｃ）ＳＴＡでない複数の非特定（ｕｎｓｐｅｃｉｆｉｃ）ＳＴＡに割り当てることができる。非特定ＳＴＡは、任意の（ａｎｏｎｙｍｏｕｓ）ＳＴＡという用語で表現されることもできる。
【００９８】
このようなＴＸＯＰは、任意接続ＴＸＯＰ７２０またはブロードキャストＴＸＯＰ、またはバッファ状態リポートＴＸＯＰという用語で表現されることができる。ＡＰは、少なくとも一つの非特定ＳＴＡのバッファ状態リポートフレーム７４０の送信のための任意接続ＴＸＯＰ７００を割り当てることができる。少なくとも一つの非特定ＳＴＡは、割り当てられた任意接続ＴＸＯＰ７００を介してバッファ状態リポートフレーム７４０を送信することができる。ＴＸＯＰは、データの送信のために割り当てられた時間リソース及び／または周波数リソースである。任意接続ＴＸＯＰ７２０は、バッファ状態リポートフレーム７４０の送信のための周波数リソース及び／または時間リソースを指示することができる。
【００９９】
ＡＰは、任意接続ＴＸＯＰ７２０の割当のための情報を送信することができる。任意接続ＴＸＯＰ７２０の割当のための情報は、ＴＸＯＰの開始オフセット（ｓｔａｒｔ  ｏｆｆｓｅｔ）、ＴＸＯＰが割り当てられた周波数リソース／時間リソースに対する情報のうち少なくとも一つの情報を含むことができる。任意接続ＴＸＯＰ７２０の割当のための情報は、ブロードキャストされるダウンリンク管理／制御フレーム（例えば、ビーコンフレーム、ブロードキャストＣＴＳ（ｃｌｅａｒ  ｔｏ  ｓｅｎｄ）フレーム、トリガフレーム、新しい制御フレーム等）を介して送信されることができる。
【０１００】
非特定ＳＴＡは、任意接続ＴＸＯＰ７２０の割当のための情報に基づいて任意接続ＴＸＯＰ７２０の割当を受けて任意接続チャネルアクセスを介してバッファ状態リポートフレーム７４０を送信することができる。
【０１０１】
即ち、ＡＰは、任意接続用トリガフレームを送信し、任意接続用トリガフレームに基づいて設定された任意接続ＴＸＯＰ７２０上で少なくとも一つのＳＴＡから少なくとも一つのバッファ状態リポートフレームを受信することができる。任意接続ＴＸＯＰ７２０は、複数の非特定ＳＴＡの各々のバッファ状態リポートフレームの送信のためのチャネルアクセスの試行のために割り当てられ、少なくとも一つのＳＴＡの各々は、前記複数の非特定ＳＴＡのうち前記チャネルアクセスを成功したＳＴＡである。具体的に、少なくとも一つのＳＴＡは、任意接続ＴＸＯＰ７２０のために割り当てられた周波数リソース単位の個数に対する情報を考慮して割り当てられた周波数リソース単位のバックオフ手順に基づいて決定されることができる。
【０１０２】
本発明の実施例によると、非特定ＳＴＡは、下記のような条件を満たす場合、任意接続ＴＸＯＰ７２０の間にバッファ状態リポートフレーム７４０を送信することができる。
【０１０３】
非特定ＳＴＡは、最大ポーリングタイマのような特定タイマにより設定された時間が満了された場合、任意接続ＴＸＯＰ７２０上でバッファ状態リポートフレーム７４０を送信することができる。
【０１０４】
または、任意接続を介したバッファ状態リポートフレーム送信のためのバックオフ手順に使われるパラメータ（例えば、バックオフカウントを選択するためのコンテンションウィンドウ値など）は、既存のデータ送信に使われるバックオフパラメータと違って、別途のパラメータで定義されることができる。このとき、非特定ＳＴＡは、バッファ状態リポートフレーム７４０の送信と関連したバックオフカウントが０になる場合、非特定ＳＴＡは、バッファ状態リポートフレーム７４０を送信することができる。
【０１０５】
または、非特定ＳＴＡは、バッファされたデータの送信と関連したバックオフカウントがバックオフカウントの閾値より小さい場合、非特定ＳＴＡは、バッファ状態リポートフレーム７４０を送信することができる。それに対し、ＳＴＡは、バッファされたデータの送信と関連したバックオフカウントがバックオフカウントの閾値より大きいまたは同じ場合、非特定ＳＴＡは、バッファ状態リポートフレーム７４０を送信することもできる。バックオフカウントの閾値は、バッファ状態リポートＳＴＡ決定情報に含まれるバックオフカウント情報により設定されることができる。
【０１０６】
図８は、本発明の実施例に係るＳＴＡのバッファ状態リポートフレームをトリガする方法を示す概念図である。
【０１０７】
図８では、任意接続ＴＸＯＰ８５０上でＳＴＡのチャネルアクセス方法が開示される。複数のＳＴＡは、バッファ状態リポートフレームの送信のために任意接続ＴＸＯＰ８５０上で任意接続を介したチャネルアクセスを実行する場合、複数のＳＴＡにより送信されたバッファ状態リポートフレーム間の衝突が発生できる。
【０１０８】
図８を参照すると、任意接続用トリガフレーム８００が送信された後、複数の周波数リソース単位（サブチャネル、サブバンドまたはＲＵ）が任意接続ＴＸＯＰ８５０として割り当てられることができる。以下、ＲＵ１、ＲＵ２、ＲＵ３及びＲＵ４の各々がバッファ状態リポートフレームの送信のための送信リソースとして割り当てられた場合が仮定される。任意接続用トリガフレーム８００は、前述したように、割り当てられた時間リソース／周波数リソースに対する情報を送信することができる。
【０１０９】
任意接続用トリガフレーム８００を受信した複数のＳＴＡは、複数の周波数リソース単位の各々を介したバッファ状態リポートフレームの送信可否を決定することができる。例えば、複数のＳＴＡの各々は、バックオフ手順を介して任意接続ＴＸＯＰ８５０上でバッファ状態リポートフレームの送信可否を決定することができる。具体的に、バックオフ手順は、周波数リソース単位で実行されることができる。もし、周波数リソース単位の個数が前記仮定のように４個である場合、バッファ状態リポートのためのバックオフカウントとして０〜３を選択したＳＴＡが任意接続用トリガフレーム８００に基づいて設定された任意接続ＴＸＯＰ８５０上でバッファ状態リポートフレームを送信することができる。バックオフカウントとして０〜３を選択したＳＴＡは、バッファ状態リポートフレームを任意接続ＴＸＯＰ８５０上でＵＬ  ＭＵ送信に基づいて送信することができる。
【０１１０】
それに対し、残りのバックオフカウントとして４以上の値を選択したＳＴＡは、任意接続ＴＸＯＰ８５０上でバッファ状態リポートフレームを送信することができない。
【０１１１】
バックオフカウントとして０〜３を選択した４個のＳＴＡ（ＳＴＡ１、ＳＴＡ２、ＳＴＡ３及びＳＴＡ４）の各々は、ランダムにバッファ状態リポートフレームを送信するＲＵを決定することができる。４個のＳＴＡ（ＳＴＡ１、ＳＴＡ２、ＳＴＡ３及びＳＴＡ４）の各々は、ランダムに決定したＲＵ上でバッファ状態リポートフレームを送信することができる。理想的に、ＳＴＡ１は、ＲＵ１を介してバッファ状態リポートフレーム１  ８１０を送信し、ＳＴＡ２は、ＲＵ２を介してバッファ状態リポートフレーム２  ８２０を送信し、ＳＴＡ３は、ＲＵ３を介してバッファ状態リポートフレーム３  ８３０を送信し、ＳＴＡ４は、ＲＵ４を介してバッファ状態リポートフレーム４  ８４０  を送信することができる。
【０１１２】
本発明の他の実施例によると、ＳＴＡは、バックオフ手順無しでランダムに任意接続ＴＸＯＰ８５０上でバッファ状態リポートフレームを送信するためのチャネルアクセスを実行することもできる。
【０１１３】
図７及び図８では、任意接続用トリガフレームによるブロードキャストＴＸＯＰ設定手順に対して開示したが、任意接続用トリガフレームでない他のフレームをトリガする他のトリガフレームに対しても前述したＵＬ  ＭＵ送信手順が実行されることができる。
【０１１４】
図９は、本発明の実施例に係るＤＬ  ＭＵ  ＰＰＤＵフォーマットを示す概念図である。
【０１１５】
図９では、本発明の実施例に係るＡＰによりＯＦＤＭＡに基づいて送信されるＤＬ  ＭＵ  ＰＰＤＵフォーマットが開示される。ＤＬ  ＭＵ  ＰＰＤＵフォーマットは、任意接続用トリガフレーム、ＵＬ  ＭＵトリガフレームなどの伝達のために使われることができる。
【０１１６】
図９を参照すると、ＤＬ  ＭＵ  ＰＰＤＵのＰＰＤＵヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＩＧ  Ｂ（ｈｉｇｈ  ｅｆｆｉｃｉｅｎｃｙ−ｓｉｇｎａｌ−Ｂ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、データフィールド（または、ＭＡＣペイロード）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０１１７】
Ｌ−ＳＴＦ９００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ９００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０１１８】
Ｌ−ＬＴＦ９１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ９１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１１９】
Ｌ−ＳＩＧ９２０は、制御情報を送信するために使われることができる。Ｌ−ＳＩＧ９２０は、データ送信率（ｒａｔｅ）、データ長さ（ｌｅｎｇｔｈ）に対する情報を含むことができる。
【０１２０】
ＨＥ−ＳＩＧ  Ａ９３０は、ＤＬ  ＭＵ  ＰＰＤＵを受信するＳＴＡを指示するための情報を含むこともできる。例えば、ＨＥ−ＳＩＧ  Ａ９３０は、ＰＰＤＵを受信する特定ＳＴＡ（または、ＡＰ）の識別子、特定ＳＴＡのグループを指示するための情報を含むことができる。また、ＨＥ−ＳＩＧ  Ａ９３０は、ＤＬ  ＭＵ  ＰＰＤＵがＯＦＤＭＡまたはＭＩＭＯに基づいて送信される場合、ＳＴＡのＤＬ  ＭＵ  ＰＰＤＵの受信のためのリソース割当情報も含むことができる。
【０１２１】
また、ＨＥ−ＳＩＧ  Ａ９３０は、ＢＳＳ識別情報のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ９４０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ９４０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０１２２】
ＨＥ−ＳＩＧ  Ｂ９４０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳに対する情報及びテールビットなどを含むことができる。また、ＨＥ−ＳＩＧ  Ｂ９４０は、ＰＰＤＵを受信するＳＴＡに対する情報、ＯＦＤＭＡベースのリソース割当（ｒｅｓｏｕｒｃｅ  ａｌｌｏｃａｔｉｏｎ）情報（または、ＭＵ−ＭＩＭＯ情報）を含むこともできる。ＨＥ−ＳＩＧ  Ｂ９４０にＯＦＤＭＡベースのリソース割当情報（または、ＭＵ−ＭＩＭＯ関連情報）が含まれる場合、ＨＥ−ＳＩＧ  Ａ９３０にはリソース割当情報が含まれないこともある。
【０１２３】
ＤＬ  ＭＵ  ＰＰＤＵ上でＨＥ−ＳＩＧ  Ｂ９４０の以前フィールドは、互いに異なる送信リソースの各々でデュプリケートされた形態で送信されることができる。ＨＥ−ＳＩＧ  Ｂ９４０の場合、一部のサブチャネル（例えば、サブチャネル１、サブチャネル２）で送信されるＨＥ−ＳＩＧ  Ｂ９４０は、個別的な情報を含む独立的なフィールドであり、残りのサブチャネル（例えば、サブチャネル３、サブチャネル４）で送信されるＨＥ−ＳＩＧ  Ｂ９４０は、他のサブチャネル（例えば、サブチャネル１、サブチャネル２）で送信されるＨＥ−ＳＩＧ  Ｂ９４０をデュプリケートしたフォーマットである。または、ＨＥ−ＳＩＧ  Ｂ９４０は、全体送信リソース上でエンコーディングされた形態で送信されることができる。ＨＥ−ＳＩＧ  Ｂ９４０以後のフィールドは、ＰＰＤＵを受信する複数のＳＴＡの各々のための個別情報を含むことができる。
【０１２４】
ＨＥ−ＳＴＦ９５０は、ＭＩＭＯ（ｍｕｌｔｉｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１２５】
具体的に、ＳＴＡ１は、ＡＰからサブバンド１を介して送信されるＨＥ−ＳＴＦ１を受信し、同期化、チャネルトラッキング／予測、ＡＧＣを実行してデータフィールド１をデコーディングすることができる。同様に、ＳＴＡ２は、ＡＰからサブバンド２を介して送信されるＨＥ−ＳＴＦ２を受信し、同期化、チャネルトラッキング／予測、ＡＧＣを実行してデータフィールド２をデコーディングすることができる。ＳＴＡ３は、ＡＰからサブバンド３を介して送信されるＨＥ−ＳＴＦ３を受信し、同期化、チャネルトラッキング／予測、ＡＧＣを実行してデータフィールド３をデコーディングすることができる。ＳＴＡ４は、ＡＰからサブバンド４を介して送信されるＨＥ−ＳＴＦ４を受信し、同期化、チャネルトラッキング／予測、ＡＧＣを実行してデータフィールド４をデコーディングすることができる。
【０１２６】
ＨＥ−ＬＴＦ９６０は、ＭＩＭＯ環境またはＯＦＤＭＡ環境でチャネルを推定するために使われることができる。
【０１２７】
ＨＥ−ＳＴＦ９５０及びＨＥ−ＳＴＦ９５０以後のフィールドに適用されるＩＦＦＴの大きさとＨＥ−ＳＴＦ９５０以前のフィールドに適用されるＩＦＦＴの大きさは、互いに異なる。例えば、ＨＥ−ＳＴＦ９５０及びＨＥ−ＳＴＦ９５０以後のフィールドに適用されるＩＦＦＴの大きさは、ＨＥ−ＳＴＦ９５０以前のフィールドに適用されるＩＦＦＴの大きさより４倍大きい。ＳＴＡは、ＨＥ−ＳＩＧ  Ａ９３０を受信し、ＨＥ−ＳＩＧ  Ａ９３０に基づいてダウンリンクＰＰＤＵの受信指示を受けることができる。このような場合、ＳＴＡは、ＨＥ−ＳＴＦ９５０及びＨＥ−ＳＴＦ９５０以後フィールドから変更されたＦＦＴサイズに基づいてデコーディングを実行することができる。それに対し、ＳＴＡがＨＥ−ＳＩＧ  Ａ９３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ９５０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１２８】
図１０は、本発明の実施例に係るＵＬ  ＭＵ  ＰＰＤＵの送信を示す概念図である。
【０１２９】
図１０を参照すると、複数のＳＴＡは、ＡＰにＵＬ  ＭＵＯＦＤＭＡに基づいてＵＬ  ＭＵ  ＰＰＤＵを送信することができる。図１０では、ＳＴＡ１により送信されるＵＬ  ＭＵ  ＰＰＤＵ１のみを例示的に示す。ＵＬ  ＭＵ  ＰＰＤＵは、バッファ状態リポートフレーム、ＵＬ  ＭＵデータフレームの伝達のために使われることができる。
【０１３０】
Ｌ−ＳＴＦ１０００、Ｌ−ＬＴＦ１０１０、Ｌ−ＳＩＧ１０２０、ＨＥ−ＳＩＧ  Ａ１０３０、ＨＥ−ＳＩＧ  Ｂ１０４０は、図９で開示された役割を遂行することができる。シグナルフィールド（Ｌ−ＳＩＧ１０２０、ＨＥ−ＳＩＧ  Ａ１０３０、ＨＥ−ＳＩＧ  Ｂ１０４０）に含まれる情報は、受信したＤＬ  ＭＵ  ＰＰＤＵのシグナルフィールドに含まれる情報に基づいて生成されることができる。
【０１３１】
ＳＴＡ１は、ＨＥ−ＳＩＧ  Ｂ１０４０までは全体帯域幅を介してアップリンク送信を実行し、ＨＥ−ＳＴＦ１０５０以後からは割り当てられた帯域幅を介してアップリンク送信を実行することができる。図８で前述したように、ＳＴＡ１は、ランダムにバッファ状態リポートフレームを送信する周波数リソース（例えば、サブバンド１）を選択し、選択された周波数リソース上でバッファ状態リポートフレームを送信することができる。バッファ状態リポートフレームは、データフィールド１に含まれることができる。
【０１３２】
サブバンド１乃至サブバンド４が任意接続ＴＸＯＰとして使われ、ＳＴＡ１乃至ＳＴＡ４が任意接続ＴＸＯＰ上でバッファ状態リポートフレームを送信することができるＳＴＡと仮定することができる。理想的な場合、ＳＴＡ２は、ＡＰにより割り当てられたサブバンド２を介してＨＥ−ＳＴＦ２及びＳＴＡ２のバッファ状態リポートフレームを含むデータフィールド２を送信し、ＳＴＡ３は、ＡＰにより割り当てられたサブバンド３を介してＨＥ−ＳＴＦ３及びＳＴＡ３のバッファ状態リポートフレームを含むデータフィールド３を送信し、ＳＴＡ４は、ＡＰにより割り当てられたサブバンド４を介してＨＥ−ＳＴＦ４及びＳＴＡ４のバッファ状態リポートフレームを含むデータフィールド４を送信することができる。
【０１３３】
図１１は、本発明の実施例が適用されることができる無線装置を示すブロック図である。
【０１３４】
図１１を参照すると、ＡＰ１１００は、プロセッサ１１１０、メモリ１１２０及びＲＦ部（ｒａｄｉｏ  ｆｒｅｑｕｅｎｃｙ  ｕｎｉｔ）１１３０を含む。
【０１３５】
ＲＦ部１１３０は、プロセッサ１１１０と連結して無線信号を送信／受信することができる。
【０１３６】
プロセッサ１１１０は、本発明で提案された機能、過程及び／または方法を具現することができる。例えば、プロセッサ１１１０は、前述した本発明の実施例に係るＡＰの動作を実行するように具現されることができる。プロセッサは、図１乃至図１０の実施例で開示したＡＰの動作を実行することができる。
【０１３７】
例えば、プロセッサ１１１０は、任意接続用トリガフレームを送信し、任意接続用トリガフレームに基づいて設定された任意接続ＴＸＯＰ（ｔｒａｎｓｍｉｓｓｉｏｎ  ｏｐｐｏｒｔｕｎｉｔｙ）上で少なくとも一つのＳＴＡから少なくとも一つのバッファ状態リポートフレームを受信するように具現されることができる。任意接続ＴＸＯＰは、複数の非特定ＳＴＡの各々のバッファ状態リポートフレームの送信のためのチャネルアクセスの試行のために割り当てられ、前記少なくとも一つのＳＴＡの各々は、前記複数の非特定ＳＴＡのうち前記チャネルアクセスを成功したＳＴＡである。少なくとも一つのＳＴＡは、前記任意接続ＴＸＯＰのために割り当てられた周波数リソース単位の個数に対する情報を考慮して前記割り当てられた周波数リソース単位のバックオフ手順に基づいて決定されることができる。
【０１３８】
ＳＴＡ１１５０は、プロセッサ１１６０、メモリ１１７０及びＲＦ部（ｒａｄｉｏ  ｆｒｅｑｕｅｎｃｙ  ｕｎｉｔ）１１８０を含む。
【０１３９】
ＲＦ部１１８０は、プロセッサ１１６０と連結して無線信号を送信／受信することができる。
【０１４０】
プロセッサ１１６０は、本発明で提案された機能、過程及び／または方法を具現することができる。例えば、プロセッサ１１２０は、前述した本発明の実施例に係るＳＴＡの動作を実行するように具現されることができる。プロセッサ１１６０は、図１乃至図１０の実施例でＳＴＡの動作を実行することができる。
【０１４１】
例えば、プロセッサ１１６０は、任意接続用トリガフレームを受信し、任意接続用トリガフレームに基づいて設定された任意接続ＴＸＯＰ（ｔｒａｎｓｍｉｓｓｉｏｎ  ｏｐｐｏｒｔｕｎｉｔｙ）上で少なくとも一つのバッファ状態リポートフレームを送信することができる。
【０１４２】
プロセッサ１１１０、１１６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１１２０、１１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１１３０、１１８０は、無線信号を送信及び／または受信する一つ以上のアンテナを含むことができる。
【０１４３】
実施例がソフトウェアで具現される時、前述した技法は、前述した機能を遂行するモジュール（過程、機能など）で具現されることができる。モジュールは、メモリ１１２０、１１７０に格納され、プロセッサ１１１０、１１６０により実行されることができる。メモリ１１２０、１１７０は、プロセッサ１１１０、１１６０の内部または外部にあり、よく知られた多様な手段でプロセッサ１１１０、１１６０と連結されることができる。
【図１】
0006273068.tif 000002
【図２】
0006273068.tif 000003
【図３】
0006273068.tif 000004
【図４】
0006273068.tif 000005
【図５】
0006273068.tif 000006
【図６】
0006273068.tif 000007
【図７】
0006273068.tif 000008
【図８】
0006273068.tif 000009
【図９】
0006273068.tif 000010
【図１０】
0006273068.tif 000011
【図１１】
0006273068.tif 000012